(57)【要約】      （修正有）【課題】タッチパネル上で複数のボタン画像が同時に拡大表示される場合、ユーザがボタン画像を選択する際に、誤って意図しないボタンに触れないようにした入力装置を提供する。【解決手段】タッチパネル２００に、複数のキーを、隣同士を近接させて並べて表示する表示手段と、進入物が前記タッチパネル２００に接近したことを検出して、当該進入物に最も近い前記キーの一つを特定して、特定した前記キーを拡大表示する出力手段と、を備える。【選択図】図７
2014191545.tif 000002
【特許請求の範囲】
【請求項１】
タッチパネルに、複数のキーを、隣同士を近接させて並べて表示する表示手段と、
進入物が前記タッチパネルに接近したことを検出して、当該進入物に最も近い前記キーの一つを特定して、特定した前記キーを拡大表示する出力手段と、を備える入力装置。
【請求項２】
前記表示手段は、前記複数のキーを、ほぼ同じ形状かつ同じ面積で表示し、
前記出力手段は、前記複数のキーのうち、前記進入物に中心点が最も近い前記キーを特定し、特定した前記キーが、隣接する前記キーのうち中心点より特定した前記キーに近い部分を覆い隠すが、その他の部分は覆い隠さず表示されたままで、特定した前記キーを拡大表示する、請求項１の入力装置。
【請求項３】
前記タッチパネルは長方形または正方形であって、各辺に複数の発光素子または受光素子を備え、
前記複数の発光素子および受光素子は、前記タッチパネルの平行する２辺の一方の辺に備えられた前記発光素子が発する光が、他方の辺に備えられた前記受光素子で検出されるように配置され、
前記出力手段は、前記タッチパネルに接近する前記進入物で遮られた前記光を受光する前記受光素子の前記辺上の位置から、接近した前記進入物の位置を特定する、請求項１または２の入力装置。
【請求項４】
複数の前記進入物が前記タッチパネルに接近したことを検出して、おのおのの当該進入物に最も近い前記キーの一つを特定して、特定した前記キーのおのおのを拡大表示する出力手段と、を備える請求項１乃至３のいずれかの入力装置。
【請求項５】
請求項１乃至４の何れかの入力装置と、
前記タッチパネルと、を備えた、端末装置。
【請求項６】
携帯電話網通信または無線ＬＡＮ通信を行う通信手段を備え、携帯可能な、請求項５の端末装置。
【請求項７】
タッチパネルに、複数のキーを、隣同士を近接させて並べて表示し、
進入物が前記タッチパネルに接近したことを検出して、当該進入物に最も近い前記キーの一つを特定して、特定した前記キーを拡大表示する、入力方法。
【請求項８】
前記複数のキーを、ほぼ同じ形状かつ同じ面積で表示し、
前記複数のキーのうち、前記進入物に中心点が最も近い前記キーを特定し、特定した前記キーが、隣接する前記キーのうち中心点より特定した前記キーに近い部分を覆い隠すが、その他の部分は覆い隠さず表示されたままで、特定した前記キーを拡大表示する、請求項７の入力方法。
【請求項９】
タッチパネルに、複数のキーを、隣同士を近接させて並べて表示する表示ステップと、
進入物が前記タッチパネルに接近したことを検出して、当該進入物に最も近い前記キーの一つを特定して、特定した前記キーを拡大表示する出力ステップと、をコンピュータに実行させる入力プログラム。
【請求項１０】
前記表示ステップは、前記複数のキーを、ほぼ同じ形状かつ同じ面積で表示し、
前記出力ステップは、前記複数のキーのうち、前記進入物に中心点が最も近い前記キーを特定し、特定した前記キーが、隣接する前記キーのうち中心点より特定した前記キーに近い部分を覆い隠すが、その他の部分は覆い隠さず表示されたままで、特定した前記キーを拡大表示することをコンピュータに実行させる請求項９の入力プログラム。
【発明の詳細な説明】
【技術分野】
【０００１】
本発明は、タッチパネルを使用した端末の入力装置、入力方法及びそのプログラムに関する。
【背景技術】
【０００２】
特許文献１は、タッチパネル方式の端末を開示している。この端末では、ユーザは端末に表示される複数個のボタン画像を指で触れることで文字等の入力を行う。この端末は、ユーザの指が、タッチパネルの画像キーに所定の距離内に接近すると、当該画像キーを中心とする複数のキーを含む画像キーボード部分が拡大表示されることが記載されている。特許文献２には、利用者の指などが表示装置に接近すると、指が接近した付近の複数のキー画像が拡大表示されることが記載されている。
【先行技術文献】
【特許文献】
【０００３】
【特許文献１】ＷＯ２０１２／１３２８０２号公報
【特許文献２】特開平１０−２６９０２２号公報
【発明の概要】
【発明が解決しようとする課題】
【０００４】
上記特許文献には、タッチパネル上でユーザの指が接近した付近の画像が拡大表示されることについての記載はあるが、複数のボタン画像が同時に拡大表示されるため、ユーザはボタン画像を選択する際に誤って意図しないボタンに触れ誤入力が発生することがあった。
【０００５】
そこで、本発明は上記課題を解決した入力装置、入力方法及びそのプログラムを提供することを目的とする。
【課題を解決するための手段】
【０００６】
かかる目的を達成するため、本発明の入力装置は、タッチパネルに、複数のキーを、隣同士を近接させて並べて表示する表示手段と、進入物が前記タッチパネルに接近したことを検出して、当該進入物に最も近い前記キーの一つを特定して、特定した前記キーを拡大表示する出力手段とを備える。
【０００７】
また、本発明は、タッチパネルに、複数のキーを、隣同士を近接させて並べて表示し、進入物が前記タッチパネルに接近したことを検出して、当該進入物に最も近い前記キーの一つを特定して、特定した前記キーを拡大表示する入力方法を提供する。
【０００８】
さらに、本発明は、タッチパネルに、複数のキーを、隣同士を近接させて並べて表示する表示ステップと、進入物が前記タッチパネルに接近したことを検出して、当該進入物に最も近い前記キーの一つを特定して、特定した前記キーを拡大表示する出力ステップと、をコンピュータに実行させる入力プログラムを提供する。
【発明の効果】
【０００９】
本発明は、ユーザが端末を操作する際に、誤入力を防止することができる。
【図面の簡単な説明】
【００１０】
【図１】第１の実施形態に係る入力装置１００の構成を示す図である。
【図２】画像格納部４０で格納する情報を示す図である。
【図３】センサフレーム２１０上の発光素子４００−ｎ・受光素子３００−ｎを示す図である。
【図４】タッチパネル２００上での赤外線と進入物５００による赤外線遮断を示す図である。
【図５】タッチパネル２００とセンサフレーム２１０の断面図である。
【図６】位置情報格納部３０で格納する情報を示す図である。
【図７】赤外線遮断前後のキー表示の遷移を示す図である。
【図８】入力装置１００の動作手順を示す図である。
【図９】第２の実施形態に係る入力装置１００の構成を示す図である。
【発明を実施するための形態】
【００１１】
以下、図面を参照して本発明に係る入力装置１００の実施形態を説明する。ただし、以下の実施形態に記載されている構成要素はあくまでも例示であり、本発明の技術的範囲をそれらのみに限定する趣旨のものではない。
【００１２】
図１は、本実施形態に係る入力装置１００の構成を示す図である。本実施形態に係る入力装置１００は、表示部１０、出力部２０、位置情報格納部３０、画像格納部４０、及び処理部５０を含み、さらに一般的な携帯端末が有する電話機能、無線ＬＡＮ（Local Area Network）通信機能などの他の機能を備える。
【００１３】
入力装置１００は、タッチパネル２００に接続されている。例えば、タッチパネル２００は、表示部１０、出力部２０、処理部５０のおのおのと接続されている。入力装置１００は、タッチパネル２００を包含していても良い。また、入力装置１００は、携帯電話、スマートフォン、ＰＨＳ（Personal Handy-phone System）、ＰＤＡ（Personal Digital Assistant）などである。
【００１４】
各実施形態の入力装置１００を構成する各部は、論理回路等のハードウェアで構成される。また、各部は、コンピュータの制御部、記憶装置、記憶装置のロードされたプログラム、プログラムを格納するハードディスク等の記憶ユニット等からなり、ハードウェアとソフトウェアの任意の組合せによって実現されても良い。そして、断りのない限り、その実現方法、装置は限定されない。
【００１５】
表示部１０は、タッチパネル２００に複数のキーを、隣同士に近接させて並べて表示する。出力部２０は、タッチパネル２００に進入物５００が接近したことを検出して、当該進入物に最も近いキーの一つを特定して、当該キーを拡大表示する。処理部５０は、タッチパネル２００に表示されている複数のキーをユーザがタッチすると、タッチされたキーに対応する処理を行う。例えば、キーに対応する文字コードを取得する。
【００１６】
タッチパネル２００の周囲には、複数の発光素子４００−ｎ（図示されず）と、それらが発光する光を受光する受光素子３００−ｎが設けられている。受光素子３００−ｎは、出力部２０に接続されている。発光素子４００−ｎは、例えば、赤外線やレーザーを発光する。出力部２０は、発光素子４００−ｎと受光素子３００−ｎも用いて、タッチパネル２００に接近する指、等の進入物５００を検知し、その位置を特定する。
【００１７】
図２は、画像格納部４０が格納する情報を示す図である。画像格納部４０は、タッチパネル２００の位置情報と、そこに配置される通常画像、及び拡大画像を対応付けて格納する。表示部１０や出力部２０は、例えば、これらの画像の中心点をタッチパネル２００の対応する位置にあわせて表示する。
【００１８】
図３は、タッチパネル２００とセンサフレーム２１０を示す図である。タッチパネル２００は、例えば、長方形または正方形であり、進入物５００の接触や接近を検出すると、その接触、または接近した位置を特定する。処理部５０は、タッチパネル２００により検出された進入物５００の位置に応じて、当該位置に表示されているキーに対応する各処理を実行する。
【００１９】
センサフレーム２１０は、タッチパネル２００を取り囲んでいる。センサフレーム２１０は、各辺に複数の発光素子４００−ｎまたは受光素子３００−ｎを備える。これらの発光素子４００−ｎまたは受光素子３００−ｎは、タッチパネル２００の平行する２辺の一方の辺に備えられた発光素子４００−ｎが発する光が、他方の辺に備えられた受光素子３００−ｎで検出されるように配置される。
【００２０】
例えば、センサフレーム２１０は、直交する２辺のそれぞれに複数の受光素子３００−ｎを備えている。この二辺のうち一方がＸ軸辺、他方がＹ軸辺である。タッチパネル２００は、例えば、この２辺をおのおのＸ軸、Ｙ軸とし、直交する角を原点とした座標系を有する。
また、タッチパネル２００は、Ｘ軸辺、Ｙ軸辺で無い、他の二辺のそれぞれに、受光素子３００−ｎと同数の発光素子４００−ｎを備えている。発光素子４００−ｎの発する光、例えば赤外線は、相対する受光素子３００−ｎで受光される。
【００２１】
図４は、タッチパネル上での赤外線と進入物５００による赤外線遮断を示す図である。出力部２０は、進入物５００により赤外線が遮断された受光素子３００−ｎのＸ軸およびＹ軸上の位置から、進入物５００の位置を特定する。また、図５は、タッチパネル２００とセンサフレーム２１０の断面を示す図である。発光素子４００―ｎと受光素子３００−ｎは、タッチパネル２００の接触平面から突起するように設けられる。
【００２２】
図６は、位置情報格納部３０が格納する情報を示す図である。位置情報格納部３０は、センサフレーム２１０上の受光素子３００−ｎのＸ軸上とＹ軸上の位置情報を対応付けて格納する。
【００２３】
以後、図４、図５を用いてタッチパネル上で接近した進入物５００の位置を特定するまでの流れを説明する。図４、図５では、センサフレーム２１０の一方に備えられた発光素子４００−ｎは、他方の辺に備えられた受光素子３００−ｎに向かって光、例えば赤外線を発する様子が模式的に描かれている（図４中の複数の矢印線）。タッチパネル２００に進入物５００が進入すると、発光素子４００−ｎから発した光は進入物５００で遮られる。そして、タッチパネル２００上で光が遮られた位置を検出し、当該位置を進入物５００が進入した位置であると特定する。
【００２４】
図７は、タッチパネル２００上で進入物５００による光遮断前後のキー表示の遷移を示す図である。タッチパネル２００に進入物５００が接近していないとき、表示部１０は、複数のキーを隣同士に近接させて並べて表示する。タッチパネル２００に進入物５００が接近すると、これを検知した出力部２０は、進入物５００に最も近いキーの１つを特定し、当該キーを拡大表示する。
【００２５】
このとき、出力部２０は、当該キーが、隣接する他のキーのうち中心点より特定した当該キーに近い部分は覆い隠すが、その他の部分は覆い隠さず表示されたままで、当該キーの拡大表示をする。
【００２６】
次に、図８を参照しながら、本実施形態に係る入力装置１００の動作手順を具体的に説明する。図８は本実施形態に係る入力装置１００の動作手順を示す図である。
【００２７】
初期の状態において、表示部１０は、キーの通常画像を隣同士に近接させて表示（図７左）する（Ｓ１００）。次にタッチパネル２００がキータッチを検出すると、処理部５０は、タッチされたキー対応の処理を行う（Ｓ１０１でＹ、Ｓ１０７）。タッチパネル２００がキータッチを検出せず、進入物５００の接近を検出すると、出力部２０は、位置情報格納部３０を参照し、進入物５００の位置情報を取得する（Ｓ１０１でＮ、Ｓ１０２でＹ、Ｓ１０３）。
【００２８】
具体的には、タッチパネル２００が、タッチパネル上で発光素子４００−ｎが発した光が遮断された箇所（位置）があると、当該位置の受光素子３００−ｎの識別子が出力部２０へ送信される。出力部２０は、当該受光素子３００−ｎの識別子を取得すると、位置情報格納部３０を参照し、対応するタッチパネル２００上のＸ軸方向、Ｙ軸方向の位置情報を取得する。
【００２９】
続いて、出力部２０は、Ｓ１０３で取得した進入物５００の位置情報をもとに、当該位置に対応するキーを特定し（Ｓ１０４）、画像格納部４０から特定したキーの拡大画像を取得し、表示（図７右）する（Ｓ１０５）。ここで、キーの特定は、画像格納部４０の行の特定を意味する。
【００３０】
さらに、進入物５００がタッチパネル２００から離れた又は移動した場合は、Ｓ１００からの処理を繰り返す（Ｓ１０６でＹ）。
【００３１】
進入物５００がタッチパネル２００から離れず、または移動もしない場合に、タッチパネル２００上でキータッチをした場合、処理部５０は、タッチされたキー対応の処理を行い（Ｓ１０６でＮ、Ｓ１０８でＹ、Ｓ１０９）、その後、Ｓ１００からの処理を繰り返す。
一方で、タッチパネル上でキータッチをしなかった場合Ｓ１０６からの操作を繰り返す（Ｓ１０６でＮ、Ｓ１０８でＮ）。
【００３２】
本実施形態に係る他の形態として、進入物５００が複数ある場合についても進入物５００が単数である場合と同様に、各々の侵入物５００についてＳ１００からの処理を実行する。
【００３３】
本実施形態に係る入力装置１００は、ユーザがタッチパネルを操作する際に、誤入力を防止することができる。その理由は、タッチパネル２００上で進入物５００の接近を検知すると、出力部２０が進入物５００の位置を取得し、当該位置最も近いキーの拡大画像を表示するためである。
【００３４】
さらに、入力装置１００は、進入物５００の位置がユーザの意図した場所でなく、ずれていた場合に、その修正をユーザが容易に出来るようにする。その理由は、出力部２０が、隣接するキーのうち中心点より特定したキーに近い部分を覆い隠すが、その他の部分は覆い隠さず表示されたままで、特定したキーを拡大表示するからである（図７  右）。即ち、出力部２０は、特定した一つのキーだけを拡大表示するが、隣接したキーも認識できる程度に表示を残しているからである。
【００３５】
なお、キーは、いわゆるキーボードのキーに類似したものに限られない。キーは、他の形状のアイコンであっても構わない。また、進入物５００の位置特定は、他のセンサー、例えば感熱センサー、モーションセンサを用いても良い。
＜第２の実施形態＞    
図９は、本実施形態に係る入力装置１００の構成を示す図である。本実施形態に係る入力装置１００は、表示部１０、出力部２０を含み、さらに一般的な携帯端末が有する他の機能を備える。例えば、入力装置１００は、携帯電話、スマートフォン、ＰＨＳ（Personal Handy-phone System）、ＰＤＡ（Personal Digital Assistant）である。
【００３６】
表示部１０は、タッチパネル２００に、複数のキーを隣同士に接近させて並べて表示する。出力部２０は、進入物５００がタッチパネル２００に接近したことを検出して、当該進入物５００に最も近いキーを特定し、特定した当該キーを拡大表示する。
【００３７】
本実施形態に係る入力装置１００は、ユーザがタッチパネル２００を操作する際に、ご入力を防止することができる。その理由は、タッチパネル２００上で進入物５００の接近を検知すると、出力部２０が進入物５００の位置を算出し、当該位置に最も近いキーの拡大画像を表示するためである。
【００３８】
以上、実施形態を参照して本願発明を説明してきたが、本願発明は、上記実施形態に限定されるものではない。本願発明の構成や詳細には、本願発明のスコープ内で当業者が理解しうるような様々な変更をすることができる。
【符号の説明】
【００３９】
１０    表示部
２０    出力部
３０    位置情報格納部
４０    画像格納部
１００    入力装置
２００    タッチパネル
２１０    センサフレーム
３００−ｎ    受光素子    
４００−ｎ    発光素子
５００    進入物
【図１】
2014191545.tif 000003
【図２】
2014191545.tif 000004
【図３】
2014191545.tif 000005
【図４】
2014191545.tif 000006
【図５】
2014191545.tif 000007
【図６】
2014191545.tif 000008
【図７】
2014191545.tif 000009
【図８】
2014191545.tif 000010
【図９】
2014191545.tif 000011